(57)【要約】【課題】映像コンテンツの共有に必要な情報を円滑にやりとりすることができ、各ユーザのコンピュータ端末での映像共有の同期を保証／実現する。【解決手段】制御部１の制御の基に、映像コンテンツ表示制御操作指定部２はユーザのコンピュータ端末から映像コンテンツの表示制御操作の指定を受け取り、映像コンテンツ表示制御操作格納部３は指定された映像コンテンツの表示制御操作を格納しておき、映像コンテンツ表示制御操作管理部４はユーザのコンピュータ端末に対して映像コンテンツの表示制御操作を一括して管理する。  ユーザのコンピュータ端末からサーバに映像コンテンツを登録／修正／削除をすること、その映像コンテンツを格納すること、ユーザのコンピュータ端末における映像コンテンツの表示制御操作履歴を格納しておくことも含む。【選択図】  図１
2005236462.tif 000002
【特許請求の範囲】
【請求項１】
遠隔多地点に分散した複数のユーザのコンピュータ端末間で、映像コンテンツを共有する映像共有方法であって、
ユーザのコンピュータ端末から映像コンテンツの表示制御操作の指定を受け取る段階と、
指定された映像コンテンツの表示制御操作を格納しておく段階と、
ユーザのコンピュータ端末に対して映像コンテンツの表示制御操作を一括して管理する段階と、
を有することを特徴とする映像共有方法。
【請求項２】
遠隔多地点に分散した複数のユーザのコンピュータ端末間で、映像コンテンツを共有する映像共有システムであって、
ユーザのコンピュータ端末から映像コンテンツの表示制御操作の指定を受け取る映像コンテンツ表示制御操作指定部と、
指定された映像コンテンツの表示制御操作を格納しておく映像コンテンツ表示制御操作格納部と、
ユーザのコンピュータ端末に対して映像コンテンツの表示制御操作を一括して管理する映像コンテンツ表示制御操作管理部と、
を有することを特徴とする映像共有システム。
【請求項３】
請求項１に記載の映像共有方法における各段階、または請求項２に記載の映像共有システムにおける各部をコンピュータに実行させるためのプログラムを、該コンピュータが読み取り可能に記録したことを特徴とする記録媒体。
【請求項４】
遠隔多地点に分散した複数のユーザのコンピュータ端末から、ユーザが保有する映像コンテンツをサーバに登録し、遠隔多地点に分散した複数のユーザのコンピュータ端末間でそれらの映像コンテンツを共有するコミュニティ内映像共有方法であって、
ユーザのコシピュータ端末からサーバに映像コンテンツを登録／修正／削除をする段階と、
サーバに登録／修正／削除をする映像コンテンツを格納する段階と、
ユーザのコンピュータ端末から映像コンテンツの表示制御操作の指定を受け取る段階と、
指定された映像コンテンツの表示制御操作を格納しておく段階と、
ユーザのコンピュータ端末に対して映像コンテンツの表示制御操作を一括して管理する段階と、
ユーザのコンピュータ端末における映像コンテンツの表示制御操作履歴を格納しておく段階と、
ユーザのコンピュータ端末とサーバによりユーザ間でコミュニケーションを行う段階と、
を有することを特徴とするコミュニティ内映像共有方法。
【請求項５】
遠隔多地点に分散した複数のユーザのコンピュータ端末から、ユーザが保有する映像コンテンツをサーバに登録し、遠隔多地点に分散した複数のユーザのコンピュータ端末間でそれらの映像コンテンツを共有するコミュニティシステムであって、
ユーザのコンピュータ端末からサーバに映像コンテンツを登録／修正／削除をする映像コンテンツ登録／修正／削除部と、
サーバに登録／修正／削除をする映像コンテンツを格納する映像コンテンツ格納部と、
ユーザのコンピュータ端末から映像コンテンツの表示制御操作の指定を受け取る映像コンテンツ表示制御操作指定部と、
指定された映像コンテンツの表示制御操作を格納しておく映像コンテンツ表示制御操作格納部と、
ユーザのコンピュータ端末に対して映像コンテンツの表示制御操作を一括して管理する映像コンテンツ表示制御操作管理部と、
ユーザのコンピュータ端末における映像コンテンツの表示制御操作履歴を格納しておく映像コンテンツ表示制御操作ログ格納部と、
ユーザのコンピュータ端末とサーバによりユーザ間でコミュニケーションを行うコミュニケーション部と、
を有することを特徴とするコミュニティシステム。
【請求項６】
請求項４に記載のコミュニティ内映像共有方法における各段階、または請求項５に記載のコミュニティシステムにおける各部をコンピュータに実行させるためのプログラムを、該コンピュータが読み取り可能に記録したことを特徴とする記録媒体。
【発明の詳細な説明】
【技術分野】
【０００１】
本発明は、遠隔多地点に分散した複数のユーザのコンピュータ端末間で、映像コンテンツを共有する、映像共有方法及びシステムに関するものである。
【０００２】
また、本発明は、遠隔多地点に分散した複数のユーザのコンピュータ端末から、ユーザが保有する映像コンテンツをサーバに登録し、遠隔多地点に分散した複数のユーザのコンピュータ端末間で、それらの映像コンテンツを共有する、コミュニティ内映像共有方法及びコミュニティ内映像共有を行うコミュニティシステムに関するものである。
【背景技術】
【０００３】
現在、インターネット等のネットワークを用いて、映像コンテンツを共有しよう、あるいは共有して活用しようという、場やそのための方法がある。例えば、以下のような場合・方法がある。
【０００４】
（１）一般のインターネットを利用する場合・方法
個人のＷｅｂＰａｇｅが乱立している状況下では、インターネット上の個人のＷｅｂＰａｇｅに、ユーザが保有する映像コンテンツを掲載していても、人々の目にとまらずに広大なネットワークの間に埋もれてしまっている。一方で、ネットワーク上にも、コミュニティが形成されている。同じ趣味や嗜好をもつた人々が、電子掲示板などを介して、昼夜を問わず集まっている。
【０００５】
そこで、ユーザが保有する映像コンテンツを、インターネット等の情報通信ネットワークを介して、ユーザ間で共有することが考えられている（例えば、特許文献１参照）。
【０００６】
（２）遠隔会議システムを利用する場合・方法
遠隔会議システム（コミュニティシステム）では、資料の共有及びユーザの顔画像の共有を行うことができる。一方で、映像コンテンツを共有するには、映像コンテンツを別途配送する必要があるとともに、映像コンテンツの表示制御をユーザ間で同期させるには、各ユーザが手動で映像コンテンツの表示制御を実施している。
【０００７】
しかし、遠隔会議システム（コミュニティシステム）においては、コミュニティシステム内で、ユーザ間での映像コンテンツの共有及び表示制御の同期が行えず、コミュニティ内で映像共有に関する意思疎通をはかる上で不便であった。
【０００８】
そこで、一地点で登録した映像コンテンツをコミュニティシステム内で共有できるようにし、かつ一斉に表示制御操作を行い得るようにすることが考えられる（例えば、特許文献２参照）。
【特許文献１】特開２００２−２０７７３６「デジタル・コンテンツのコミュニティ・システム」
【特許文献２】特開２００２−２４７５４１「多地点映像表示制御方法および多地点映像表示制御を行う遠隔会議システム」
【発明の開示】
【発明が解決しようとする課題】
【０００９】
（課題１）映像コンテンツの一元管理ができない、表示制御操作の非同期
前記の特許文献１によれば、インターネット等のネットワークを用いて、映像コンテンツを共有すること、あるいは共有して活用する。
【００１０】
しかしながら、このような方法では、共有する映像コンテンツを、ユーザのコンピュータ端末に受信しておく必要がある。また、遠隔多地点に分散した複数のユーザのコンピュータ端末では、各々、別々に、映像コンテンツを視聴することになる。
【００１１】
そのため、映像コンテンツをユーザ間で共有していると言っても、映像コンテンツを、ただ単に視聴するためだけでも、ユーザのコンピュータ端末に受信しておく必要があったり、個人が映像コンテンツの登録を取り消して削除したくても、映像コンテンツが各ユーザのコンピュータ端末にあるためにできない。また、遠隔多地点に分散した複数のユーザのコンピュータ端末間で、映像コンテンツの表示制御の同期をすることはできないという問題がある。
【００１２】
一方、前記の特許文献２によれば、遠隔会議システム（コミュニティシステム）においては、一地点で登録した映像コンテンツをコミュニティシステム内で共有できるようにし、かつ一斉に表示制御操作を行い得るようにする。
【００１３】
しかしながら、このような方法でも、やはり、映像コンテンツを、すべてのユーザのコンピュータ端末で保持している必要がある。そのため、映像コンテンツをコミュニティシステム内で共有していると言っても、映像コンテンツを、ただ単に視聴するためだけでも、映像コンテンツをすべてのユーザのコンピュータ端末に保持しておく必要があったり、個人が映像コンテンツの登録を取り消して削除したくても、他ユーザのコンピュータ端末に対して削除することができない。
【００１４】
また、そのため、映像コンテンツの表示制御は、サーバから各ユーザのコンピュータ端末に対して、一斉に表示制御操作を一方的に指示するだけで、各ユーザのコンピュータ端末で表示制御の同期を十分に保証することはできないという問題がある。
【００１５】
（課題２）映像の共有・映像の表示制御に関するコミュニケーションが十分でない。
【００１６】
ネットワーク上にも、コミュニティが形成されている。同じ趣味や嗜好をもった人々が、電子掲示板などを介して、昼夜を問わず集まっている。
【００１７】
前記の特許文献１のような方法では、コミュニティ内で言葉（文字）を用いたコミュケーションしかできない。そのため、コミュニティ内で十分なコミュニニティ内で言葉（文字）を用いたコミュニケーションができないという問題がある。
【００１８】
一方、特許文献２のような方法では、映像共有のための映像コンテンツの表示制御をユーザ間で声または文字で表示制御情報を伝達する必要がある。そのため、コミュニティ内で映像共有・映像の表示制御に関する意思疎通をはかる上で不便であった。
【００１９】
本発明の目的は、上記の課題を解決した映像共有方法、映像共有システム、コミュニティ内映像共有方法、コミュニティシステム及び記録媒体を提供することにある。
【課題を解決するための手段】
【００２０】
本発明は、サーバが映像コンテンツを保持することとし、サーバが各ユーザのコンピュータ端末からの表示制御操作と表示制御ポイントを受け取り、すべてのユーザのコンピュータ端末に対して、表示制御操作と表示制御ポイントを一括して管理する。このように、映像コンテンツの表示制御情報を、サーバ側で一括して管理することにより、映像コンテンツの共有に必要な情報を円滑にやりとりすることができ、各ユーザのコンピュータ端末での映像共有の同期を保証／実現する。
【００２１】
また、本発明は、多地点に配置されたユーザのコンピュータ端末と、映像コンテンツを保持するサーバから構成されるコミュニティシステムとし、ユーザのコンピュータ端末から登録された映像コンテンツをサーバ上で共有し、及び映像コンテンツの表示制御をユーザ間で同期させるようにする。これにより、映像コンテンツをすべてのユーザのコンピュータ端末に保持しておく必要がなく、映像コンテンツを一元管理でき、さらにサーバ上に保持されている映像コンテンツだけを削除することにより、個人が登録した映像コンテンツを削除することを可能とする。
【００２２】
以上ことから、本発明は、以下のシステム、方法および記録媒体を特徴とする。
【００２３】
（１）遠隔多地点に分散した複数のユーザのコンピュータ端末間で、映像コンテンツを共有する映像共有方法であって、
ユーザのコンピュータ端末から映像コンテンツの表示制御操作の指定を受け取る段階と、
指定された映像コンテンツの表示制御操作を格納しておく段階と、
ユーザのコンピュータ端末に対して映像コンテンツの表示制御操作を一括して管理する段階と、
を有することを特徴とする映像共有方法。
【００２４】
（２）遠隔多地点に分散した複数のユーザのコンピュータ端末間で、映像コンテンツを共有する映像共有システムであって、
ユーザのコンピュータ端末から映像コンテンツの表示制御操作の指定を受け取る映像コンテンツ表示制御操作指定部と、
指定された映像コンテンツの表示制御操作を格納しておく映像コンテンツ表示制御操作格納部と、
ユーザのコンピュータ端末に対して映像コンテンツの表示制御操作を一括して管理する映像コンテンツ表示制御操作管理部と、
を有することを特徴とする映像共有システム。
【００２５】
（３）上記（１）に記載の映像共有方法における各段階、または（２）に記載の映像共有システムにおける各部をコンピュータに実行させるためのプログラムを、該コンピュータが読み取り可能に記録したことを特徴とする記録媒体。
【００２６】
（４）遠隔多地点に分散した複数のユーザのコンピュータ端末から、ユーザが保有する映像コンテンツをサーバに登録し、遠隔多地点に分散した複数のユーザのコンピュータ端末間でそれらの映像コンテンツを共有するコミュニティ内映像共有方法であって、
ユーザのコシピュータ端末からサーバに映像コンテンツを登録／修正／削除をする段階と、
サーバに登録／修正／削除をする映像コンテンツを格納する段階と、
ユーザのコンピュータ端末から映像コンテンツの表示制御操作の指定を受け取る段階と、
指定された映像コンテンツの表示制御操作を格納しておく段階と、
ユーザのコンピュータ端末に対して映像コンテンツの表示制御操作を一括して管理する段階と、
ユーザのコンピュータ端末における映像コンテンツの表示制御操作履歴を格納しておく段階と、
ユーザのコンピュータ端末とサーバによりユーザ間でコミュニケーションを行う段階と、
を有することを特徴とするコミュニティ内映像共有方法。
【００２７】
（５）遠隔多地点に分散した複数のユーザのコンピュータ端末から、ユーザが保有する映像コンテンツをサーバに登録し、遠隔多地点に分散した複数のユーザのコンピュータ端末間でそれらの映像コンテンツを共有するコミュニティシステムであって、
ユーザのコンピュータ端末からサーバに映像コンテンツを登録／修正／削除をする映像コンテンツ登録／修正／削除部と、
サーバに登録／修正／削除をする映像コンテンツを格納する映像コンテンツ格納部と、
ユーザのコンピュータ端末から映像コンテンツの表示制御操作の指定を受け取る映像コンテンツ表示制御操作指定部と、
指定された映像コンテンツの表示制御操作を格納しておく映像コンテンツ表示制御操作格納部と、
ユーザのコンピュータ端末に対して映像コンテンツの表示制御操作を一括して管理する映像コンテンツ表示制御操作管理部と、
ユーザのコンピュータ端末における映像コンテンツの表示制御操作履歴を格納しておく映像コンテンツ表示制御操作ログ格納部と、
ユーザのコンピュータ端末とサーバによりユーザ間でコミュニケーションを行うコミュニケーション部と、
を有することを特徴とするコミュニティシステム。
【００２８】
（６）上記（４）に記載のコミュニティ内映像共有方法における各段階、または（５）に記載のコミュニティシステムにおける各部をコンピュータに実行させるためのプログラムを、該コンピュータが読み取り可能に記録したことを特徴とする記録媒体。
【発明の効果】
【００２９】
以上、説明したように、本発明によれば、映像コンテンツの表示制御操作と表示制御ポイントを一括して管理することにより、映像コンテンツの共有に必要な情報を円滑にやりとりすることができ、各ユーザのコンピュータ端末で映像共有の同期を保証／実現することができる。
【００３０】
また、ユーザは映像コンテンツを共有するコミュニティシステムにおいて、映像コンテンツをすべてのユーザのコンピュータ端末に保持しておく必要がなく、映像コンテンツを一元管理できる。さらに、サーバ上に保持されている映像コンテンツだけを削除することにより、個人が登録した映像コンテンツを削除することもできる。
【発明を実施するための最良の形態】
【００３１】
以下、本発明の実施の形態を図面を用いて具体的に説明する。なお、実施形態例を説明するための全図において、同一機能を有するものは同一符号を付け、その繰り返しの説明は省略する。
【００３２】
図１は、本発明の一実施形態例の概略構成を示すブロック図である。図１においては、１は制御部、２はユーザのコンピュータ端末から映像コンテンツの表示制御操作の指定を受け取る映像コンテンツ表示制御操作指定部、３は指定された映像コンテンツの表示制御操作を格納しておく映像コンテンツ表示制御操作格納部、４はユーザのコンピュータ端末に対して映像コンテンツの表示制御操作を一括して管理する映像コンテンツ表示制御操作管理部である。
【００３３】
本発明の一実施形態例として、映像を共有し、映像の表示制御を同期させる例を説明する。
【００３４】
図２は、サーバがすべてのユーザのコンピュータ端末に対して、表示制御操作と表示制御ポイントを一括して管理し、各ユーザのコンピュータ端末で映像共有の同期をさせる動作の基本処理アルゴリズムの一例を示すフロー図である。本実施形態例の動作を、図２に示す動作アルゴリズムを用いて説明する。なお、図２の（Ｓ１〜Ｓ３）は各ステップを示す。
【００３５】
（Ｓ１）映像コンテンツ表示制御操作指定部２は、ユーザのコンピュータ端末から、ユーザが指定する映像コンテンツの表示制御操作（及び表示制御ポイント）を受け取る。
【００３６】
（Ｓ２）映像コンテンツ表示制御操作格納部３は、映像コンテンツ表示制御操作指定部２から、ユーザが指定する映像コンテンツの表示制御操作（及び表示制御ポイント）を受け取り、その表示制御操作（及び表示制御ポイント）を保持する
（Ｓ３）映像コンテンツ表示制御操作管理部４は、映像コンテンツ表示制御操作格納部３から、保持しておいた映像コンテンツの表示制御操作（及び表示制御ポイント）を受け取り、保持しておいた映像コンテンツの表示制御操作（及び表示制御ポイント）に基づき、すべてのユーザのコンピュータ端末に対して映像コンテンツの表示制御操作（及び表示制御ポイント）を一括して管理する。
【００３７】
制御部１は、上記の動作及び各部を制御する。
【００３８】
図３は、映像コンテンツ表示制御操作指定部２と映像コンテンツ表示制御操作格納部３と映像コンテンツ表示制御操作管理部４での、各ユーザのコンピュータ端末で映像共有の同期をさせる動作の基本処理アルゴリズムの一例を示すフロー図である。なお、図３の（Ｓ１１〜Ｓ１３）は各ステップを示す。
【００３９】
サーバでは、ユーザのコンピュータ端末から、ユーザが指定／選択する映像コンテンツの表示制御操作を受け取る。また、映像コンテンツの表示制御操作の属性情報も受け取る。属性情報とは、例えば、映像コンテンツの再生操作等の時は、その映像コンテンツのＩＤのみであり、映像コンテンツの一時停止操作等の時は、その映像コンテンツのＩＤとその他のその映像コンテンツの一時停止ポジション等である（Ｓ１１）。
【００４０】
サーバでは、受け取った映像コンテンツの表示制御操作を、また、映像コンテンツの表示制御操作の属性情報を一時的に格納する。また、どのユーザのコンピュータ端末から受け取った表示制御操作であるかも格納する（Ｓ１２）。
【００４１】
サーバでは、一時的に保存しておいた映像コンテンツの表示制御操作、映像コンテンツの表示制御操作の属性情報、表示制御操作を受け取ったユーザのコンピュータ端末等の情報に基づき、すべてのユーザのコンピュータ端末に対して、映像コンテンツの表示制御を一括して操作する。これにより、すべてのユーザのコンピュータ端末に対して、表示制御の同期を実現する（Ｓ１３）。
【００４２】
なお、すべてのユーザのコンピュータ端末に対して、表示制御の同期を実現する方法は、利用する映像ｐｌａｙｅｒ等の特性や、ネットワークやユーザのコンピュータ端末等のユーザの利用環境等に応じて、複数の方法が考えられる。
【００４３】
例えば、映像コンテンツの再生中に、一時停止操作を選択／指定し、次にリスタート操作を選択／指定した場合について説明する。
【００４４】
（方法１）
任意の映像コンテンツの再生中に、任意のユーザが一時停止操作を選択／指定した場合、サーバでは、すべてのユーザのコンピュータ端末に対して、そのユーザのコンピュータ端末から受け取った一時停止ポジションを用いて、一時停止操作を指定する。
【００４５】
ユーザのコンピュータ端末では、再生中のポジションで一時停止するのではなく、サーバから指定された一時停止ポジションで一時停止する。
【００４６】
また、任意の映像コンテンツの一時停止中に、任意のユーザがリスタート操作を選択／指定した場合、サーバでは、すべてのユーザのコンピュータ端末に対して、一時的に格納していた一時停止ポジションを用いて、リスタート操作を指定する。ユーザのコンピュータ端末では、サーバから指定された一時停止ポジションからリスタートする。
【００４７】
このようにして、すべてのユーザのコンピュータ端末に対して、表示制御の同期を実現する。
【００４８】
（方法２）
利用する映像ｐｌａｙｅｒ等によって、リスタート時のポジションを指定することはできても、一時停止時のポジションを指定できない場合がある。
【００４９】
任意の映像コンテンツの再生中に、任意のユーザが一時停止操作を選択／指定した場合、サーバでは、すべてのユーザのコンピュータ端末に対して、一時停止ポジションを指定せずに、一時停止操作を指定する。ユーザのコンピュータ端末では、再生中のポジションで一時停止する。
【００５０】
また、任意の映像コンテンツの一時停止中に、任意のユーザがリスタート操作を選択／指定した場合、サーバでは、すべてのユーザのコンピュータ端末に対して、一時的に格納していた一時停止ポジションを用いて、リスタート操作を指定する。ユーザのコンピュータ端末では、サーバから指定された一時停止ポジションからリスタートする。
【００５１】
このようにして、すべてのユーザのコンピュータ端末に対して、表示制御の同期を実現する。
【００５２】
（方法３）
リスタート時のポジションを指定することはできても、一時停止時のポジションを指定できない映像ｐｌａｙｅｒ等を利用する場合、別の方法も考えられる。
【００５３】
任意の映像コンテンツの再生中に、任意のユーザが一時停止操作を選択／指定した場合、サーバでは、すべてのユーザのコンピュータ端末に対して、一時停止ポジションを指定せ、一時停止操作を指定する。
【００５４】
さらに、サーバでは、すべてのユーザのコンピュータ端末に対して、一時停止ポジションを用いたリスタート操作とすぐの一時停止操作を指定する。
【００５５】
これにより、ユーザのコンピュータ端末では、再生中のポジションで一時停止するのではなく、サーバから指定された一時停止ポジションの次のポジションで一時停止する。
【００５６】
また、任意の映像コンテンツの一時停止中に、任意のユーザがリスタート操作を選択／指定した場合、サーバでは、すべてのユーザのコンピュータ端末に対して、一時的に格納していた一時停止ポジションを用いて、リスタート操作を指定する。ユーザのコンピュータ端末では、サーバから指定された一時停止ポジションからリスタートする。
【００５７】
このようにして、すべてのユーザのコンピュータ端末に対して、表示制御の同期を実現する。
【００５８】
なお、例えば、映像コンテンツの一時停止ポジションの指定方法がフレームによる指定の場合はそのフレーム、映像コンテンツの一時停止ポジションの指定方法が時間による指定の場合はその時間となる。
【００５９】
また、上記のすべてのユーザのコンピュータ端末に対して、表示制御の同期を実現する方法のうち、どの方法を用いるかは、映像コンテンツを表示させる映像ｐｌａｙｅｒ等の特性などや、利用する映像ｐｌａｙｅｒ等の特性や、ネットワークやユーザのコンピュータ端末等のユーザの利用環境等に応じて、適切な方法を使い分けることでよい。
【００６０】
なお、映像コンテンツの表示制御操作は、次のような操作でも構わない。
【００６１】
映像コンテンツの表示制御操作は、自分が登録した映像コンテンツだけではなく、自分以外が登録した映像コンテンツに対しても可能である。
【００６２】
また、映像コンテンツの表示制御操作を、複数のユーザが実施することも可能である。例えば、ユーザＡが任意の映像コンテンツの再生操作を選択／指定した後、ユーザＢが一時停止操作を選択／指定し、さらに、ユーザＣがリスタート操作を選択／指定するというような場合である。
【００６３】
さらに、コミュニティシステム内でのコミュニティは、一つでも複数でも構わない。ユーザがコミュニティを選択／指定して、任意のコミュニティに参加することでよい。ただし、映像コンテンツの表示制御操作はそのユーザが参加しているコミュニティに対して有効となる。
【００６４】
図４は、図１とは別の本発明の一実施形態例の概略構成を示すブロック図である。図４において、１は制御部、５はユーザのコンピュータ端末からサーバに映像コンテンツを登録／修正／削除をする映像コンテンツ登録／修正／削除部、６はサーバに登録／修正／削除をする映像コンテンツを格納する映像コンテンツ格納部、２はユーザのコンピュータ端末から映像コンテンツの表示制御操作の指定を受け取る映像コンテンツ表示制御操作指定部、３は指定された映像コンテンツの表示制御操作を格納しておく映像コンテンツ表示制御操作格納部、４はユーザのコンピュータ端末に対して映像コンテンツの表示制御操作を一括して管理する映像コンテンツ表示制御操作管理部、７はユーザのコンピュータ端末における映像コンテンツの表示制御操作履歴を格納しておく映像コンテンツ表示制御操作ログ格納部、８はユーザのコンピュータ端末とサーバによりユーザ間でコミュニケーションを行うコミュニケーション部である。
【００６５】
本発明の一実施形態例として、コミュニティ内で映像を共有し、映像の表示制御を同期させる例を説明する。
【００６６】
図５は、ユーザのコンピュータ端末からサーバに映像コンテンツを登録／修正／削除し、サーバでに映像コンテンツを格納管理し、すべてのユーザのコンピュータ端末に対して、表示制御操作と表示制御ポイントを一括して管理し、各ユーザのコンピュータ端末で映像共有の同期をさせる動作の基本処理アルゴリズムの一例を示すフロー図である。
【００６７】
本実施形態例の動作を、図５に示す動作アルゴリズムを用いて説明する。なお、図５の（Ｓ１〜Ｓ７）は各ステップを示す。
【００６８】
（Ｓ４）映像コンテンツ登録／修正／削除部５は、ユーザのコンピュータ端末から、ユーザが指定／選択する、サーバに登録／修正／削除をする映像コンテンツを受け取る。
【００６９】
（Ｓ５）映像コンテンツ格納部６は、映像コンテンツ登録／修正／削除部５から、ユーザが指定／選択した、サーバに登録／修正／削除をする映像コンテンツを受け取り、その映像コンテンツを格納管理する。
【００７０】
なお、映像コンテンツの実態をサーバに登録／修正／削除するだけでなく、映像コンテンツのリンク等をサーバに登録／修正／削除して、その映像コンテンツを格納管理するようにしてもよい。
【００７１】
（Ｓ１）映像コンテンツ表示制御操作指定部２は、ユーザのコンテンツ端末から、ユーザが指定する映像コンテンツの表示制御操作（及び表示制御ポイント）を受け取る。
【００７２】
（Ｓ２）映像コンテンツ表示制御操作格納部３は、映像コンテンツ表示制御操作指定部２から、ユーザが指定する映像コンテンツの表示制御操作（及び表示制御ポイント）を受け取り、その表示制御操作（及び表示制御ポイント）を保持する。
【００７３】
（Ｓ３）映像コンテンツ表示制御操作管理部４は、映像コンテンツ表示制御操作格納部３から、保持しておいた映像コンテンツの表示制御操作（及び表示制御ポイント）を受け取り、保持しておいた映像コンテンツの表示制御操作（及び表示制御ポイント）に基づき、すべてのユーザのコンピュータ端末に対して映像コンテンツの表示制御操作（及び表示制御ポイント）を一括して管理する。
【００７４】
（Ｓ６）映像コンテンツ表示制御操作ログ格納部７は、映像コンテンツ表示制御操作指定部２から、ユーザのコンピュータ端末から、ユーザが指定する映像コンテンツの表示制御操作（及び表示制御ポイント）を受け取り、また、映像コンテンツ表示制御操作管理部４から、すべてのユーザのコンピュータ端末に対する一括した映像コンテンツの表示制御操作（及び表示制御ポイント）を受け取り、ユーザのコンピュータ端末における映像コンテンツの表示制御操作履歴として格納しておく。
【００７５】
（Ｓ７）コミュニケーション部８は、ユーザのコンピュータ端末とサーバにより、ユーザ間でコミュニケーションを行う。
【００７６】
制御部１は、上記の動作及び各部を制御する。
【００７７】
図６は、映像コンテンツ登録／修正／削除部５と映像コンテンツ格納部６での、ユーザのコンピュータ端末からサーバに映像コンテンツを登録し、サーバ上で、その映像コンテンツを一元格納管理する動作の基本処理アルゴリズムの一例を示すフロー図である。なお、図６の（Ｓ２１〜Ｓ２２）は各ステップを示す。
【００７８】
（Ｓ２１）ユーザのコンピュータ端末から、ユーザが指定／選択する、サーバに登録をする映像コンテンツのファイルを受け取る。また、ユーザの指定により、映像コンテンツのタイトル、キーワード、時間による自動削除等の、その映像コンテンツの属性を受け取る。さらに、複数のコミュニティが存在する場合は、ユーザが指定／選択する、映像コンテンツを登録する（複数も可）コミュニティを受け取る。そのとき、ユーザのＩＤを自動的に付与する。
【００７９】
なお、映像コンテンツの実態でなく、映像コンテンツのリンク等をサーバに登録する場合は、ユーザが指定／選択する、映像コンテンツのリンク先等を受け取る。
【００８０】
（Ｓ２２）サーバでは、ユーザのコンピュータ端末から受け取った、映像コンテンツのファイルを、そのファイル名のままではなく、自動的に、ファイル名にユーザＩＤを組み合わせて格納する。これにより、その映像コンテンツを登録したユーザを一意に特定できるようにしておく。
【００８１】
また、サーバでは、ユーザのコンピュータ端末から受け取った、映像コンテンツのファイルを、そのファイル名のままではなく、自動的に、ファイル名に、例えば、登録した時刻も組み合わせて格納する。これにより、その映像コンテンツの一意性を保てるようにしておく。
【００８２】
さらに、ユーザのコンピュータ端末から受け取った、映像コンテンツのタイトル、キーワード、時間による自動削除等の映像コンテンツの属性と、映像コンテンツを登録するコミュニティと、場合によっては、映像コンテンツのリンク先等を併せて格納する。
【００８３】
図７は、映像コンテンツ登録／修正／削除部５と映像コンテンツ格納部６での、ユーザのコンピュータ端末からサーバの映像コンテンツを削除し、サーバ上で、その映像コンテンツを一元格納管理する動作の基本処理アルゴリズムの一例を示すフロー図である。なお、図７の（Ｓ３１〜Ｓ３３）は各ステップを示す。
【００８４】
（Ｓ３１）ユーザのコンピュータ端末に、そのユーザのユーザＩＤと合致する、サーバに格納管理している映像コンテンツのファイル名を提示する。あるいは、管理者権限のユーザＩＤの場合は、ユーザのコンピュータ端末に、サーバに格納管理している全部の映像コンテンツのファイル名を提示する。
【００８５】
（Ｓ３２）ユーザのコンピュータ端末から、ユーザが指定／選択する、サーバから削除をする映像コンテンツのファイル名を受け取る。
【００８６】
（Ｓ３３）ユーザのコンピュータ端末から受け取った、映像コンテンツをサーバから削除する。
【００８７】
なお、ユーザが指定した、自動削除時間に到達した映像コンテンツについては、ユーザのコンピュータ端末から、ユーザが指定／選択する、サーバから削除をする映像コンテンツのファイル名を受け取っていなくても、映像コンテンツをサーバから削除する。
【００８８】
図８は、映像コンテンツ登録／修正／削除部５と映像コンテンツ格納部６での、ユーザのコンピュータ端末からサーバに映像コンテンツを修正し、サーバ上で、その映像コンテンツを一元格納管理する動作の基本処理アルゴリズムの一例を示すフロー図である。なお図８の（Ｓ４１〜Ｓ４３）は各ステップを示す。
【００８９】
（Ｓ４１）ユーザのコンピュータ端末に、そのユーザのユーザＩＤと合致する、サーバに格納管理している映像コンテンツのファイル名と、映像コンテンツのタイトル、キーワード、時間による自動削除等の映像コンテンツの属性と、映像コンテンツを登録するコミュニティと、場合によっては、映像コンテンツのリンク先等を提示する。
【００９０】
あるいは、管理者権限のユーザＩＤの場合は、ユーザのコンピュータ端末に、サーバに格納管理している全部の映像コンテンツのファイル名と、映像コンテンツのタイトル、キーワード、時間による自動削除等の映像コンテンツの属性と、映像コンテンツを登録するコミュニティと、場合によっては、映像コンテンツのリンク先等を提示する。
【００９１】
（Ｓ４２）ユーザのコンピュータ端末から、ユーザが指定／選択する、サーバで修正をする映像コンテンツのファイル名と、映像コンテンツのタイトル、キーワード、時間によって自動削除等の映像コンテンツの属性と、映像コンテンツを登録するコミュニティと、場合によっては、映像コミュニティのリンク先等を受け取る。
【００９２】
（Ｓ４３）ユーザのコンピュータ端末から受け取った映像コンテンツのファイルを格納する。また、ユーザのコンピュータ端末から受け取った映像コンテンツのファイル名と、映像コンテンツのタイトル、キーワード、時間による自動削除等の映像コンテンツの属性と、映像コンテンツを登録するコミュニティと、場合によっては、映像コンテンツのリンク先等を併せて格納する。
【００９３】
なお、ファイル名を修正した場合は、自動的に、ファイル名にユーザＩＤと、例えば、登録した時刻も組み合わせて格納する。
【００９４】
なお、図１、４で示した装置各部の一部もしくは全部の機能を、情報機器を用いて実現することができること、あるいは、図２、図３、図５〜図８で示した処理の段階を情報機器に実行させることができることは言うまでもなく、情報機器でその各部の機能を実現するためのプログラム、あるいは情報機器にその処理の段階を実行させるためのプログラムを、その情報機器が読み取り可能な記録媒体、例えば、ＦＤ、ＭＯ、ＲＯＭ、メモリカード、ＳＤ、ＤＶＤ、リムーバブルディスク等に記録して、保存したり、提供したり、配布したりすることが可能である。
【００９５】
以上、本発明を実施形態例で具体的に説明したが、本発明は、前記実施形態例に限定されるものではなく、その要旨を逸脱しない範囲において種々変更可能であることは言うまでもない。
【図面の簡単な説明】
【００９６】
【図１】本発明の一実施形態例の概略構成を示すブロック図。
【図２】サーバが、すべてのユーザのコンピュータ端末に対して、表示制御操作と表示制御ポイントを一括して管理し、各ユーザのコンピュータ端末で映像共有の同期をさせる動作の基本処理アルゴリズムの一例を示すフロー図。
【図３】映像コンテンツ表示制御操作指定部２と映像コンテンツ表示制御操作格納部３と映像コンテンツ表示制御操作管理部４での、各ユーザのコンピュータ端末で映像共有の同期をさせる動作の基本処理アルゴリズムの一例を示すフロー図。
【図４】図１とは別の本発明の一実施形態例の概略構成を示すブロック図。
【図５】ユーザのコンピュータ端末からサーバに映像コンテンツを登録／修正／削除し、サーバでに映像コンテンツを格納管理し、すべてのユーザのコンピュータ端末に対して、表示制御操作と表示制御ポイントを一括して管理し、各ユーザのコンピュータ端末で映像共有の同期をさせる動作の基本処理アルゴリズムの一例を示すフロー図。
【図６】映像コンテンツ登録／修正／削除部５と映像コンテンツ格納部６での、ユーザのコンピュータ端末からサーバに映像コンテンツを登録し、サーバ上で、その映像コンテンツを一元格納管理する動作の基本処理アルゴリズムの一例を示すフロー図。
【図７】映像コンテンツ登録／修正／削除部５と映像コンテンツ格納部６での、ユーザのコンピュータ端末からサーバの映像コンテンツを削除し、サーバ上で、その映像コンテンツを一元格納管理する動作の基本処理アルゴリズムの一例を示すフロー図。
【図８】映像コンテンツ登録／修正／削除部５と映像コンテンツ格納部６での、ユーザのコンピュータ端末からサーバに映像コンテンツを修正し、サーバ上で、その映像コンテンツを一元格納管理する動作の基本処理アルゴリズムの一例を示すフロー図。
【符号の説明】
【００９７】
１  制御部
２  映像コンテンツ表示制御操作指定部
３  映像コンテンツ表示制御操作格納部
４  映像コンテンツ表示制御操作管理部
５  映像コンテンツ登録／修正／削除部
６  映像コンテンツ格納部
７  映像コンテンツ表示制御操作ログ格納部
８  コミュニケーション部
【図１】
2005236462.tif 000003
【図２】
2005236462.tif 000004
【図３】
2005236462.tif 000005
【図４】
2005236462.tif 000006
【図５】
2005236462.tif 000007
【図６】
2005236462.tif 000008
【図７】
2005236462.tif 000009
【図８】
2005236462.tif 000010